(57)【要約】      （修正有）【課題】建物の内部を仕切る引違い戸に対して、ビス止め等による損傷を与えることなく、一時的に簡易に取り付け、施錠することができる引違い戸用仮施錠装置を提供する。【解決手段】引違い戸用仮施錠装置１００は、一の建具２１１における召合せ部の対向面を除く一側縁に当接される断面略Ｌ字状の当接部及び当該当接部に一端を接合される長尺状のレール部１２を有する。さらに、鴨居の下端及び敷居の上端間の内法寸法と略同一の第１の支持手段と、レール部１２を嵌入する貫通孔が穿設され、他の建具２１２における召合せ部の一側縁に嵌合される断面略コの字状の嵌合部２１を有し、内法寸法と略同一の第２の支持手段２０と、レール部１２の長手方向に沿って摺動可能であり、施錠によりレール部１２に固定される錠前３０と、を備える。【選択図】図１
0003183226.tif 000002
【実用新案登録請求の範囲】
【請求項１】
建物の内部を仕切る引違い戸の召合せ部に仮設され、鴨居及び敷居の溝に沿う建具の水平移動を施錠により規制する引違い戸用仮施錠装置であって、
前記引違い戸の一の建具における前記召合せ部の対向面を除く側縁に当接される断面略Ｌ字状の当接部及び当該当接部に一端を接合される長尺状のレール部を有し、前記引違い戸の鴨居の下端及び敷居の上端間の内法寸法と略同一の第１の支持手段と、
前記レール部を嵌入する貫通孔が穿設され、前記引違い戸の他の建具における前記召合せ部の側縁に嵌合される断面略コの字状の嵌合部を有し、前記引違い戸の鴨居の下端及び敷居の上端間の内法寸法と略同一の第２の支持手段と、
前記レール部の長手方向に沿って摺動可能であり、施錠によりレール部に固定される錠前と、
を備えることを特徴とする引違い戸用仮施錠装置。
【請求項２】
前記請求項１に記載の引違い戸用仮施錠装置において、
前記当接部及び嵌合部が、前記引違い戸の鴨居の下端及び敷居の上端間の内法寸法より短い長尺状の部材であり、
前記第１の支持手段が、前記当接部の上端及び／又は下端近傍に配設され、前記引違い戸の鴨居の下端及び敷居の上端間の内法寸法に合わせて当該第１の支持手段の高さを調節可能にする第１の調節部を備え、
前記第２の支持手段が、前記嵌合部の上端及び／又は下端近傍に配設され、前記引違い戸の鴨居の下端及び敷居の上端間の内法寸法に合わせて当該第２の支持手段の高さを調節可能にする第２の調節部を備えることを特徴とする引違い戸用仮施錠装置。
【請求項３】
前記請求項２に記載の引違い戸用仮施錠装置において、
第１の調節部が、螺子切りされた貫通孔を有し、前記当接部に接合される基材と、当該基材の貫通孔に螺合するボルトと、当該ボルトの先端部に接合される支持材と、当該支持材に接合される緩衝材と、を備え、
第２の調節部が、螺子切りされた貫通孔を有し、前記嵌合部に接合される基材と、当該基材の貫通孔に螺合するボルトと、当該ボルトの先端部に接合される支持材と、当該支持材に接合される緩衝材と、を備えることを特徴とする引違い戸用仮施錠装置。
【請求項４】
前記請求項２に記載の引違い戸用仮施錠装置において、
第１の調節部が、貫通孔を有し、前記当接部に接合される基材と、当該基材の貫通孔に摺動可能に軸通し、一端が当該貫通孔より大きい棒状部材と、当該棒状部材の他端に接合される支持材と、当該支持材に接合される緩衝材と、前記基材及び棒状部材の他端間に挟装される弾性材と、を備え、
第２の調節部が、貫通孔を有し、前記嵌合部に接合される基材と、当該基材の貫通孔に摺動可能に軸通し、一端が当該貫通孔より大きい棒状部材と、当該棒状部材の他端に接合される支持材と、当該支持材に接合される緩衝材と、前記基材及び棒状部材の他端間に挟装される弾性材と、を備えることを特徴とする引違い戸用仮施錠装置。
【考案の詳細な説明】
【技術分野】
【０００１】
この考案は、引き戸の一種である建物の内部を仕切る引違い戸（内部引違い戸）の召合せ部に仮設され、鴨居及び敷居の溝に沿う建具の水平移動を施錠により規制する引違い戸用仮施錠装置に関するものである。
【背景技術】
【０００２】
住宅リフォームは、住まい手（建築主、施主）が住んでいる住宅の中で工事することが多く、住まい手からは、外出する際などに、リフォーム工事に関与する作業員が作業場所以外の部屋に入らないように、簡易的な鍵を付けられないかという相談が多い。
また、作業員からは、住まい手から作業場所以外の部屋に勝手に入ったという疑いをもたれることがあるので、トラブルを事前に避けるためにも、簡易的な鍵をつけたいという要望が多い。
【０００３】
なお、従来の引き違い戸の固定具は、施錠するものではないが、引き違い戸の内側扉体の反戸当たり側の端縁に当接可能な第１固定ブロックと、外側扉体の反戸当たり側の端縁に当接可能な第２固定ブロックとを備え、第１固定ブロックに内側扉体と外側扉体との間の隙間を通して外部に引き出される連結ベルトを設けるとともに、第２固定ブロックをその連結ベルトに対してスライド可能とし、かつ、第２固定ブロックに連結ベルトに対する係止手段を設ける（例えば、特許文献１参照）。
【先行技術文献】
【特許文献】
【０００４】
【特許文献１】特開２０００−２０４８２５号公報
【考案の概要】
【考案が解決しようとする課題】
【０００５】
しかしながら、住宅の室内の出入り口に多く使われている引違い戸に鍵をつける場合は、引違い戸（建具）に施錠用の金具を直接取り付ける必要があり、引違い戸を傷付けてしまうという課題がある。
また、住宅内の引違い戸に付ける錠は、ねじり錠、クレセント錠又はあおり止めなどのように、部屋の内側から施錠することによって、外部からの進入を防ぐものが多く、部屋の外部から施錠することができないという課題がある。
【０００６】
また、従来の引き違い戸の固定具は、家具を移動する場合における家具に設けられている引き違い戸を対象にしていることもあり、第１固定ブロック及び第２固定ブロックの当接面の面積が狭く、建物の内部を仕切る引違い戸に適用するには、十分な固定力が得られない。また、従来の引違い戸の固定具は、引違い戸に施錠することができないため、住まい手及び作業員の要望を満たすものではない。
【０００７】
この考案は、上述のような課題を解決するためになされたもので、建物の内部を仕切る引違い戸に対して、ビス止め等による損傷を与えることなく、一時的に簡易に取り付け、施錠することができる引違い戸用仮施錠装置を提供することを目的とする。
【課題を解決するための手段】
【０００８】
この考案に係る引違い戸用仮施錠装置においては、引違い戸の一の建具における召合せ部の対向面を除く側縁に当接される断面略Ｌ字状の当接部及び当該当接部に一端を接合される長尺状のレール部を有し、引違い戸の鴨居の下端及び敷居の上端間の内法寸法と略同一の第１の支持手段と、レール部を嵌入する貫通孔が穿設され、引違い戸の他の建具における召合せ部の側縁に嵌合される断面略コの字状の嵌合部を有し、引違い戸の鴨居の下端及び敷居の上端間の内法寸法と略同一の第２の支持手段と、レール部の長手方向に沿って摺動可能であり、施錠によりレール部に固定される錠前と、を備えるものである。
【０００９】
また、この考案に係る引違い戸用仮施錠装置においては、必要に応じて、当接部及び嵌合部が、引違い戸の鴨居の下端及び敷居の上端間の内法寸法より短い長尺状の部材であり、第１の支持手段が、当接部の上端及び／又は下端近傍に配設され、引違い戸の鴨居の下端及び敷居の上端間の内法寸法に合わせて当該第１の支持手段の高さを調節可能にする第１の調節部を備え、第２の支持手段が、嵌合部の上端及び／又は下端近傍に配設され、引違い戸の鴨居の下端及び敷居の上端間の内法寸法に合わせて当該第２の支持手段の高さを調節可能にする第２の調節部を備えるものである。
【００１０】
また、この考案に係る引違い戸用仮施錠装置においては、必要に応じて、第１の調節部が、螺子切りされた貫通孔を有し、当接部に接合される基材と、当該基材の貫通孔に螺合するボルトと、当該ボルトの先端部に接合される支持材と、当該支持材に接合される緩衝材と、を備え、第２の調節部が、螺子切りされた貫通孔を有し、嵌合部に接合される基材と、当該基材の貫通孔に螺合するボルトと、当該ボルトの先端部に接合される支持材と、当該支持材に接合される緩衝材と、を備えるものである。
【００１１】
さらに、この考案に係る引違い戸用仮施錠装置においては、必要に応じて、第１の調節部が、貫通孔を有し、当接部に接合される基材と、当該基材の貫通孔に摺動可能に軸通し、一端が当該貫通孔より大きい棒状部材と、当該棒状部材の他端に接合される支持材と、当該支持材に接合される緩衝材と、基材及び棒状部材の他端間に挟装される弾性材と、を備え、第２の調節部が、貫通孔を有し、嵌合部に接合される基材と、当該基材の貫通孔に摺動可能に軸通し、一端が当該貫通孔より大きい棒状部材と、当該棒状部材の他端に接合される支持材と、当該支持材に接合される緩衝材と、基材及び棒状部材の他端間に挟装される弾性材と、を備えるものである。
【考案の効果】
【００１２】
この考案に係る引違い戸用仮施錠装置においては、引違い戸の一の建具における召合せ部の対向面を除く側縁に当接される断面略Ｌ字状の当接部及び当該当接部に一端を接合される長尺状のレール部を有し、引違い戸の鴨居の下端及び敷居の上端間の内法寸法と略同一の第１の支持手段と、レール部を嵌入する貫通孔が穿設され、引違い戸の他の建具における召合せ部の側縁に嵌合される断面略コの字状の嵌合部を有し、引違い戸の鴨居の下端及び敷居の上端間の内法寸法と略同一の第２の支持手段と、レール部の長手方向に沿って摺動可能であり、施錠によりレール部に固定される錠前と、を備えることにより、引違い戸に対して、ビス止め等による損傷を与えることなく、一時的に簡易に取り付け、施錠することができる。
【００１３】
また、この考案に係る引違い戸用仮施錠装置においては、必要に応じて、当接部及び嵌合部が、引違い戸の鴨居の下端及び敷居の上端間の内法寸法より短い長尺状の部材であり、第１の支持手段が、当接部の上端及び／又は下端近傍に配設され、引違い戸の鴨居の下端及び敷居の上端間の内法寸法に合わせて当該第１の支持手段の高さを調節可能にする第１の調節部を備え、第２の支持手段が、嵌合部の上端及び／又は下端近傍に配設され、引違い戸の鴨居の下端及び敷居の上端間の内法寸法に合わせて当該第２の支持手段の高さを調節可能にする第２の調節部を備えることにより、第１の支持手段及び第２の支持手段の高さを縮めて引違い戸の鴨居の下端及び敷居の上端間に第１の支持手段及び第２の支持手段を容易に挿入することができると共に、第１の支持手段及び第２の支持手段の高さの微調節が可能であるため、引違い戸の鴨居及び敷居の経年劣化（木材の反り）に伴う鴨居の下端及び敷居の上端間の内法寸法差にも対応することができ、第１の支持手段のレール部と第２の支持手段の貫通孔との位置合せも容易になる。
【００１４】
また、この考案に係る引違い戸用仮施錠装置においては、必要に応じて、第１の調節部が、螺子切りされた貫通孔を有し、当接部に接合される基材と、当該基材の貫通孔に螺合するボルトと、当該ボルトの先端部に接合される支持材と、当該支持材に接合される緩衝材と、を備え、第２の調節部が、螺子切りされた貫通孔を有し、嵌合部に接合される基材と、当該基材の貫通孔に螺合するボルトと、当該ボルトの先端部に接合される支持材と、当該支持材に接合される緩衝材と、を備えることにより、ボルトを回動するだけで第１の支持手段及び第２の支持手段の高さを簡易に調節することができる。
【００１５】
さらに、この考案に係る引違い戸用仮施錠装置においては、必要に応じて、第１の調節部が、貫通孔を有し、当接部に接合される基材と、当該基材の貫通孔に摺動可能に軸通し、一端が当該貫通孔より大きい棒状部材と、当該棒状部材の他端に接合される支持材と、当該支持材に接合される緩衝材と、基材及び棒状部材の他端間に挟装される弾性材と、を備え、第２の調節部が、貫通孔を有し、嵌合部に接合される基材と、当該基材の貫通孔に摺動可能に軸通し、一端が当該貫通孔より大きい棒状部材と、当該棒状部材の他端に接合される支持材と、当該支持材に接合される緩衝材と、基材及び棒状部材の他端間に挟装される弾性材と、を備えることにより、弾性材を圧縮した状態で引違い戸の鴨居及び敷居間に第１の支持手段及び第２の支持手段を挿入し、弾性材の加圧を解くことで、第１の支持手段及び第２の支持手段の高さを引違い戸の鴨居の下端及び敷居の上端間の間隔に簡易かつ迅速に一致させることができる。
【図面の簡単な説明】
【００１６】
【図１】第１の実施形態に係る引違い戸用仮施錠装置を引違い戸に取り付けた状態を示す斜視図である。
【図２】第１の実施形態に係る第１の支持手段の概略構成を示す斜視図である。
【図３】第１の実施形態に係る第２の支持手段の概略構成を示す斜視図である。
【図４】図２に示す第１の支持手段を一の建具に取り付けた状態における第１の支持手段の上端近傍の要部拡大図である。
【図５】図１に示すレールの上端面直上を水平面で切断した断面図における第１の支持手段及び第２の支持手段の連結状態を説明するための説明図である。
【図６】引違い戸を説明するための説明図であり、（ａ）は敷居の上端に水平な水平面による断面図であり、（ｂ）は図６（ａ）に示す召合せ部における矢視Ａ−Ａ’線の端面図である。
【図７】第１の実施形態に係る引違い戸用仮施錠装置の使用方法を説明する説明図であり、（ａ）は一の建具への第１の支持手段の取り付け方法を説明するための説明図であり、（ｂ）は他の建具への第２の支持手段の取り付け方法を説明するための説明図であり、（ｃ）は施錠した状態を説明するための説明図である。
【図８】（ａ）は第２の実施形態に係る第１の支持手段の概略構成を示す斜視図であり、（ｂ）は第２の実施形態に係る第２の支持手段の概略構成を示す斜視図である。
【考案を実施するための形態】
【００１７】
（本考案の第１の実施形態）
引違い戸用仮施錠装置１００は、図１及び図６に示すように、建物の内部を仕切る引違い戸２００の召合せ部２０１に仮設され、鴨居２２０の溝２２２及び敷居２３０の溝２３２に沿う建具２１０の水平移動を施錠により規制する道具であり、後述する第１の支持手段１０、第２の支持手段２０及び錠前３０を備える。
【００１８】
なお、本実施形態においては、建具２１０として、襖を例に挙げて説明するが、建物の内部を仕切る引違い戸（内部引違い戸）の内部建具であれば、戸襖、紙貼障子又はガラス障子などであってもよい。
【００１９】
第１の支持手段１０は、図２及び図５に示すように、引違い戸２００の一の建具２１１における召合せ部２０１の対向面を除く一側縁２１１ａに当接される断面略Ｌ字状（図５参照）の当接部１１と、当該当接部１１に一端１２ａをビス止め又は溶接などで接合されて当該当接部１１と共に断面略コの字状（図５参照）をなす扁形かつ長尺状のレール部１２と、を備え、引違い戸２００の鴨居２２０の下端２２１及び敷居２３０の上端２３１間の内法寸法と略同一の長さである。
【００２０】
ここで、一の建具２１１は、引違い戸２００における一対の襖のうち施錠したい部屋に対して内側の襖に対応し、一の建具２１１の一側縁２１１ａは、内側の襖における召合せ部２０１側の堅縁であるマス縁（増縁、出会い縁）に対応する。
【００２１】
なお、本実施形態に係る当接部１１は、引違い戸２００の鴨居２２０の下端２２１及び敷居２３０の上端２３１間の内法寸法より短い長尺状の部材であり、例えば、長さ１７５０ｍｍ及び厚さ３ｍｍの略矩形状の金属板を、一の建具２１１の幅（一側縁２１１ａ（マス縁）の寸法）３０ｍｍに対応する内寸幅３５ｍｍとそれ以外の幅４５ｍｍとなるように屈曲させることにより形成される。
【００２２】
また、本実施形態に係る第１の支持手段１０は、当接部１１の上端１１ａ及び下端１１ｂ近傍に配設され、引違い戸２００の鴨居２２０の下端２２１及び敷居２３０の上端２３１間の内法寸法に合わせて当該第１の支持手段１０の高さを調節可能にする第１の調節部１３を備える。
【００２３】
このように、本実施形態に係る引違い戸用仮施錠装置１００は、第１の支持手段１０が第１の調節部１３を備えることにより、第１の支持手段１０の高さを縮めて鴨居２２０の下端２２１及び敷居２３０の上端２３１間に第１の支持手段１０を容易に挿入することができるという作用効果を奏する。
また、本実施形態に係る引違い戸用仮施錠装置１００は、第１の支持手段１０の高さを微調節することができるため、鴨居２２０及び敷居２３０の経年劣化（木材の反り）に伴う鴨居２２０の下端２２１及び敷居２３０の上端２３１間の内法寸法差にも対応することができ、第１の支持手段１０のレール部１２と第２の支持手段２０の後述する貫通孔２１ｃとの位置合せも容易になるという作用効果を奏する。
【００２４】
なお、本実施形態に係る第１の調節部１３は、図２に示すように、螺子切りされた貫通孔（螺子孔）を有し、当接部１１に接合される基材１３ａと、当該基材１３ａの貫通孔に螺合するボルト１３ｂと、当該ボルト１３ｂの先端部に接合される支持材１３ｃと、当該支持材１３ｃに接合される緩衝材１３ｄと、を備える。
このように、本実施形態に係る引違い戸用仮施錠装置１００は、第１の調節部１３が基材１３ａ、ボルト１３ｂ、支持材１３ｃ及び緩衝材１３ｄを備えることにより、ボルト１３ｂを回動するだけで第１の支持手段１０の高さを簡易に調節することができるという作用効果を奏する。
特に、本実施形態に係る引違い戸用仮施錠装置１００は、ボルト１３ｂに蝶ボルトを使用することにより、締緩作業を行う工具を必要とせず、ボルト１３ｂの締め外しを簡易に行うことができる。
【００２５】
なお、当接部１１の上端１１ａ側にある第１の調節部１３のボルト１３ｂは、例えば、長さが２００ｍｍの蝶ボルトであり、当接部１１の下端１１ｂ側にある第１の調節部１３のボルト１３ｂは、例えば、長さが５０ｍｍの蝶ボルトである。
また、基材１３ａは、例えば、略中央に直径１０ｍｍの螺子孔を有する縦５０ｍｍ、横３０ｍｍ及び厚さ２．３ｍｍの矩形状の金属板であり、横３０ｍｍの一辺が、当接部１１の上端１１ａ（下端１１ｂ）から２０ｍｍの位置に、当接部１１の長手方向に対して略垂直に溶接される。
また、第１の調節部１３は、当接部１１及び基材１３ａ間の接合を強固にするために、基材１３ａの縦５０ｍｍの一辺と当接部１１とを連結する補強板１３ｅが溶接される。
さらに、支持材１３ｃは、例えば、厚さ３．２ｍｍの鋼板であり、ボルト１３ｂに溶接されると共に、厚さ１５ｍｍの硬質ゴムパッキンである緩衝材１３ｄが表面に接着剤で接合されている。
なお、図２及び図４に示す支持材１３ｃ及び緩衝材１３ｄは、円柱形状で図示しているが、この形状に限られるものではなく、例えば、緩衝材１３ｄが縦７０ｍｍ、横３０ｍｍ及び厚さ１５ｍｍの矩形状の板状体であってもよい。
【００２６】
本実施形態に係るレール部１２は、既製品であるスライド錠（ファスナー錠）における複数の鋸状歯のレール（鎌）１２ｂを備えたレール部材（例えば、長さ１２５ｍｍ、厚さ３ｍｍ）であり、当接部１１の下端１１ｂから１０００ｍｍの位置に一端１２ａを２個のビス１２ｃで螺着して固定されている。
【００２７】
なお、本実施形態に係る第１の調節部１３は、当接部１１の上端１１ａ及び下端１１ｂ近傍の両方に配設される構成であるが、当接部１１の上端１１ａ又は下端１１ｂ近傍のいずれか一方に配設される構成であってもよい。
この場合には、第１の調節部１３が配設されない当接部１１の端部に緩衝材を装着しておくが、当該端部に当接する鴨居２２０又は敷居２３０を傷付けないためにも好ましい。
【００２８】
第２の支持手段２０は、図３及び図５に示すように、レール部１２（レール１２ｂ）を嵌入する貫通孔２１ｃが穿設され、引違い戸２００の他の建具２１２における召合せ部２０１の一側縁２１２ａに嵌合される断面略コの字状（図５参照）の嵌合部２１を備え、引違い戸２００の鴨居２２０の下端２２１及び敷居２３０の上端２３１間の内法寸法と略同一の長さである。
【００２９】
ここで、他の建具２１２は、引違い戸２００における一対の襖のうち施錠したい部屋に対して外側の襖に対応し、他の建具２１２の一側縁２１２ａは、外側の襖における召合せ部２０１側の堅縁であるマス縁（増縁、出会い縁）に対応する。
【００３０】
なお、本実施形態に係る嵌合部２１は、引違い戸２００の鴨居２２０の下端２２１及び敷居２３０の上端２３１間の内法寸法より短い長尺状の部材である。
嵌合部２１は、例えば、長さ１７５０ｍｍ及び厚さ３ｍｍの略矩形状の金属板を、他の建具２１２の幅（一側縁２１２ａ（マス縁）の寸法）３０ｍｍに対応する内寸幅３５ｍｍと召合せ部２０１の重ね代に対応する幅２０ｍｍとそれ以外の幅４５ｍｍとなるように屈曲させることにより形成される。
また、嵌合部２１の貫通孔２１ｃは、例えば、嵌合部２１の下端２１ｂから１０００ｍｍの位置に、レール部１２のレール１２ｂの挿抜可能な幅３ｍｍで穿設される。
【００３１】
また、本実施形態に係る第２の支持手段２０は、嵌合部２１の上端２１ａ及び下端２１ｂ近傍に配設され、引違い戸２００の鴨居２２０の下端２２１及び敷居２３０の上端２３１間の内法寸法に合わせて当該第２の支持手段２０の高さを調節可能にする第２の調節部２２を備える。
【００３２】
このように、本実施形態に係る引違い戸用仮施錠装置１００は、第２の支持手段２０が第２の調節部２２を備えることにより、第２の支持手段２０の高さを縮めて鴨居２２０の下端２２１及び敷居２３０の上端２３１間に第２の支持手段２０を容易に挿入することができるという作用効果を奏する。
また、第２の支持手段２０の高さを微調節することができるため、鴨居２２０及び敷居２３０の経年劣化（木材の反り）に伴う鴨居２２０の下端２２１及び敷居２３０の上端２３１間の内法寸法差にも対応することができ、第２の支持手段２０のレール部１２と後述する第２の支持手段２０の貫通孔２１ｃとの位置合せも容易になるという作用効果を奏する。
【００３３】
なお、本実施形態に係る第２の調節部２２は、図３に示すように、螺子切りされた貫通孔を有し、嵌合部２１に接合される基材２２ａと、当該基材２２ａの貫通孔に螺合するボルト２２ｂと、当該ボルト２２ｂの先端部に接合される支持材２２ｃと、当該支持材２２ｃに接合される緩衝材２２ｄと、を備える。
このように、本実施形態に係る引違い戸用仮施錠装置１００は、第２の調節部２２が基材２２ａ、ボルト２２ｂ、支持材２２ｃ及び緩衝材２２ｄを備えることにより、ボルト２２ｂを回動するだけで第２の支持手段２０の高さを簡易に調節することができるという作用効果を奏する。
特に、本実施形態に係る引違い戸用仮施錠装置１００は、ボルト２２ｂに蝶ボルトを使用することにより、締緩作業を行う工具を必要とせず、ボルト２２ｂの締め外しを簡易に行うことができる。
【００３４】
なお、第２の調節部２２は、前述した第１の調節部１３と同様の構成であり、基材２２ａが第１の調節部１３の基材１３ａに対応し、ボルト２２ｂが第１の調節部１３のボルト１３ｂ、支持材２２ｃが第１の調節部１３の支持材１３ｃ、緩衝材２２ｄが第１の調節部１３の緩衝材１３ｄ、補強板２２ｅが第１の調節部１３の補強板１３ｅに対応する。
このため、第２の調節部２２における各部材の寸法並びに嵌合部２１への取り付け位置及び方法は、第１の調節部１３における各部材の寸法並びに当接部１１への取り付け位置及び方法と同様であるので、説明を省略する。
【００３５】
なお、本実施形態に係る第２の調節部２２は、嵌合部２１の上端２１ａ及び下端２１ｂ近傍の両方に配設される構成であるが、嵌合部２１の上端２１ａ又は下端２１ｂ近傍のいずれか一方に配設される構成であってもよい。
この場合には、第２の調節部２２が配設されない嵌合部２１の端部に緩衝材を装着しておくが、当該端部に当接する鴨居２２０又は敷居２３０を傷付けないためにも好ましい。
【００３６】
錠前３０は、図１及び図５に示すように、解錠状態において、レール部１２（レール１２ｂ）に着脱可能であり、レール部１２（レール１２ｂ）の長手方向に沿って摺動可能であり、施錠によりレール部１２に固定される。
なお、本実施形態に係る錠前３０は、スライド錠のシリンダー錠（例えば、縦２５ｍｍ、横２５ｍｍ）であり、ロータの回転によりレール１２ｂの鋸状歯から係脱する施錠片が内蔵される。
【００３７】
つぎに、本実施形態に係る引違い戸用仮施錠装置１００の使用方法について、図７を用いて説明する。
まず、作業者は、当接部１１の上端１１ａ及び／又は下端１１ｂにある第１の調節部１３のボルト１３ｂを回転させて、鴨居２２０の下端２２１及び敷居２３０の上端２３１間の内法寸法より第１の支持手段１０の高さを縮めた状態にする。
【００３８】
そして、作業者は、一の建具２１１（内側の襖）の戸当り（戸先部２０２）側の堅縁である他側縁２１１ｂ（ドブ縁）を一の柱２４１に当接させた状態で、施錠対象の部屋の内側から、召合せ部２０１における一の建具２１１（内側の襖）及び他の建具２１２（外側の襖）間の隙間に、レール部１２のレール１２ｂを挿入する（図７（ａ）参照）。
引き続き、作業者は、一の建具２１１の召合せ部２０１側の一側縁２１１ａ（マス縁）に第１の支持手段１０の当接部１１を当接させ、レール部１２のレール１２ｂ及び当接部１１の内側面間で一の建具２１１の他側縁２１１ｂ（ドブ縁）を挟持させる。
【００３９】
そして、作業者は、当接部１１の上端１１ａ及び／又は下端１１ｂにある第１の調節部１３のボルト１３ｂを回転させて、第１の支持手段１０の高さを伸ばし、当接部１１の上端１１ａにある第１の調節部１３の緩衝材１３ｄを鴨居２２０（中樋端、外樋端）に圧接させ（図４参照）、当接部１１の下端１１ｂにある第１の調節部１３の緩衝材１３ｄを敷居２３０に圧接させて、第１の支持手段１０を召合せ部２０１に固定する。これにより、一の建具２１１（内側の襖）は、第１の支持手段１０及び一の柱２４１間で固定される。
【００４０】
さらに、作業者は、嵌合部２１の上端２１ａ及び／又は下端２１ｂにある第２の調節部２２のボルト２２ｂを回転させて、鴨居２２０の下端２２１及び敷居２３０の上端２３１間の内法寸法より第２の支持手段２０の高さを縮めた状態にする。
【００４１】
そして、作業者は、施錠対象の部屋の外に出て、他の建具２１２（外側の襖）を閉め、他の建具２１２（外側の襖）の戸先部２０２側の堅縁である他側縁２１２ｂ（ドブ縁）を他の柱２４２に当接させた状態にする。この状態で、作業者は、召合せ部２０１における一の建具２１１（内側の襖）及び他の建具２１２（外側の襖）間の隙間から突出するレール部１２のレール１２ｂを、第２の支持手段２０の嵌合部２１の貫通孔２１ｃに挿入する（図７（ｂ）参照）。
引き続き、作業者は、他の建具２１２の召合せ部２０１側の一側縁２１２ａ（マス縁）と、第２の支持手段２０の嵌合部２１と、を嵌合させる。
【００４２】
そして、作業者は、嵌合部２１の上端２１ａ及び／又は下端２１ｂにある第２の調節部２２のボルト２２ｂを回転させて、第２の支持手段２０の高さを伸ばし、嵌合部２１の上端２１ａにある第２の調節部２２の緩衝材２２ｄを鴨居２２０（中樋端、外樋端）に圧接させ、嵌合部２１の下端２１ｂにある第２の調節部２２の緩衝材２２ｄを敷居２３０に圧接させて、第２の支持手段２０を召合せ部２０１に固定する。これにより、他の建具２１２（外側の襖）は、第２の支持手段２０及び他の柱２４２間で固定される。
最後に、作業者は、レール部１２のレール１２ｂに錠前３０を通し、錠前３０に付属する鍵で施錠するにより、施錠対象の部屋の出入を禁止することができる。
【００４３】
以上のように、本実施形態に係る引違い戸用仮施錠装置１００は、建物の内部を仕切る引違い戸２００に対して、住宅リフォーム時などの一時的に施錠が必要な場合に、引違い戸２００、柱又は壁などにビス止め等による損傷を与えることなく、簡易的な方法で引違い戸２００に錠前３０を取り付けることができるという作用効果を奏する。
【００４４】
（本発明の第２の実施形態）
図８（ａ）は第２の実施形態に係る第１の支持手段の概略構成を示す斜視図であり、図８（ｂ）は第２の実施形態に係る第２の支持手段の概略構成を示す斜視図である。図８において、図１乃至図７と同じ符号は、同一又は相当部分を示し、その説明を省略する。
【００４５】
本実施形態に係る第１の調節部１３は、貫通孔を有し、当接部１１に接合される基材１３ａと、当該基材１３ａの貫通孔に摺動可能に軸通し、一端が当該貫通孔より大きい棒状部材１３ｆと、当該棒状部材１３ｆの他端に接合される支持材１３ｃと、当該支持材１３ｃに接合される緩衝材１３ｄと、基材１３ａ及び棒状部材１３ｆの他端間に挟装される弾性材１３ｇと、を備え、必要に応じて、基材１３ａの一辺と当接部１１とを連結する補強板１３ｅとを備える。
【００４６】
また、本実施形態に係る第２の調節部２２は、貫通孔を有し、嵌合部２１に接合される基材２２ａと、当該基材２２ａの貫通孔に摺動可能に軸通し、一端が当該貫通孔より大きい棒状部材２２ｆと、当該棒状部材２２ｆの他端に接合される支持材２２ｃと、当該支持材２２ｃに接合される緩衝材２２ｄと、基材２２ａ及び棒状部材２２ｆの他端間に挟装される弾性材２２ｇと、を備え、必要に応じて、基材２２ａの一辺と嵌合部２１とを連結する補強板２２ｅとを備える。
なお、本実施形態に係る第１の調節部１３（第２の調節部２２）は、弾性材１３ｇ（弾性材２２ｇ）にコイルばねを用いており、コイルばねの螺旋の内部に棒状部材１３ｆ（棒状部材２２ｆ）の軸を軸通させる構成である。
【００４７】
本実施形態においては、第１の調節部１３（第２の調節部２２）がボルト１３ｂ（ボルト２２ｂ）の替わりに棒状部材１３ｆ（棒状部材２２ｆ）及び弾性材１３ｇ（弾性材２２ｇ）を備え、基材１３ａ（基材２２ａ）の貫通孔が螺子孔でないところのみが第１の実施形態と異なるところであり、後述する棒状部材１３ｆ（棒状部材２２ｆ）及び弾性材１３ｇ（弾性材２２ｇ）による作用効果以外は、第１の実施形態と同様の作用効果を奏する。
【００４８】
本実施形態に係る引違い戸用仮施錠装置１００は、第１の調節部１３が基材１３ａ、棒状部材１３ｆ、支持材１３ｃ、緩衝材１３ｄ及び弾性材１３ｇを備えることにより、弾性材１３ｇを圧縮した状態で引違い戸２００の鴨居２２０及び敷居２３０間に第１の支持手段１０を挿入し、弾性材１３ｇの加圧を解くことで、第１の支持手段１０の高さを引違い戸２００の鴨居２２０の下端２２１及び敷居２３０の上端２３１間の間隔に簡易かつ迅速に一致させることができるという作用効果を奏する。
【００４９】
同様に、本実施形態に係る引違い戸用仮施錠装置１００は、第２の調節部２２が基材２２ａ、棒状部材２２ｆ、支持材２２ｃ、緩衝材２２ｄ及び弾性材２２ｇを備えることにより、弾性材２２ｇを圧縮した状態で引違い戸２００の鴨居２２０及び敷居２３０間に第２の支持手段２０を挿入し、弾性材２２ｇの加圧を解くことで、第２の支持手段２０の高さを引違い戸２００の鴨居２２０の下端２２１及び敷居２３０の上端２３１間の間隔に簡易かつ迅速に一致させることができるという作用効果を奏する。
【符号の説明】
【００５０】
１０    第１の支持手段
１１    当接部
１１ａ  上端
１１ｂ  下端
１２    レール部
１２ａ  一端
１２ｂ  レール
１２ｃ  ビス
１３    第１の調節部
１３ａ  基材
１３ｂ  ボルト
１３ｃ  支持材
１３ｄ  緩衝材
１３ｅ  補強板
１３ｆ  棒状部材
１３ｇ  弾性材
２０    第２の支持手段
２１    嵌合部
２１ａ  上端
２１ｂ  下端
２１ｃ  貫通孔
２２    第２の調節部
２２ａ  基材
２２ｂ  ボルト
２２ｃ  支持材
２２ｄ  緩衝材
２２ｅ  補強板
２２ｆ  棒状部材
２２ｇ  弾性材
３０    錠前
１００  引違い戸用仮施錠装置
２００  引違い戸
２０１  召合せ部
２０２  戸先部
２１０  建具
２１１  一の建具
２１１ａ  一側縁
２１１ｂ  他側縁
２１２  他の建具
２１２ａ  一側縁
２１２ｂ  他側縁
２２０  鴨居
２２１  下端
２３０  敷居
２３１  上端
２４１  一の柱
２４２  他の柱
【図１】
0003183226.tif 000003
【図２】
0003183226.tif 000004
【図３】
0003183226.tif 000005
【図４】
0003183226.tif 000006
【図５】
0003183226.tif 000007
【図６】
0003183226.tif 000008
【図７】
0003183226.tif 000009
【図８】
0003183226.tif 000010